(57)【要約】各無線端末（１Ａ、１Ｂ、１Ｃ）は、ブロードキャスト／マルチキャスト信号（２２０）をセルラー通信ネットワーク（１０）から受信する。代表端末（１Ａ）は、近隣無線端末（１Ｂ、１Ｃ）から応答メッセージをＤ２Ｄ通信（２３１、２３２）を介して受信する。各応答メッセージは、各近隣無線端末（１Ｂ、１Ｃ）によるブロードキャスト／マルチキャスト信号（２２０）の受信に基づいて生成される。代表端末（１Ａ）は、代表応答メッセージを生成し、これをセルラー通信ネットワーク（１０）又は他のノード（７）にアップリンク送信（２４０）を介して送信する。これにより、例えば、ブロードキャスト／マルチキャスト・サービスに関する応答メッセージの無線端末による送信の効率化に寄与できる。
2018198446.tif 000002
【特許請求の範囲】
【請求項１】
少なくとも１つの無線トランシーバと、
少なくとも１つのプロセッサと、
を備え、
前記少なくとも１つのプロセッサは、
セルラー通信ネットワークから送信されるブロードキャスト／マルチキャスト信号を、前記少なくとも１つの無線トランシーバを使用する前記セルラー通信ネットワークからのダウンリンク受信を介して受信し、
少なくとも１つの近隣無線端末による前記ブロードキャスト／マルチキャスト信号の受信に基づいて前記少なくとも１つの近隣無線端末のそれぞれによって送信される少なくとも１つの応答メッセージを、前記少なくとも１つの無線トランシーバを使用するdevice-to-device（D2D）通信を介して受信し、
前記少なくとも１つの無線トランシーバを介した前記ブロードキャスト／マルチキャスト信号の受信結果と前記少なくとも１つの応答メッセージの受信結果とに基づいて、代表応答メッセージを生成し、且つ
前記代表応答メッセージを、前記少なくとも１つの無線トランシーバを使用する前記セルラー通信ネットワークへのアップリンク送信を介して、前記セルラー通信ネットワーク又は他のノードに送信する、
よう構成されている、
無線端末装置。
【請求項２】
前記少なくとも１つのプロセッサは、
各近隣無線端末によって送信されるD2D信号の受信信号品質を計測するよう構成され、且つ
前記受信信号品質が所定の閾値を下回る近隣無線端末から受け取った応答メッセージを、前記代表応答メッセージを生成するための計算から除外するよう構成されている、
請求項１に記載の無線端末装置。
【請求項３】
前記少なくとも１つの応答メッセージの各々は、各近隣無線端末による前記ブロードキャスト／マルチキャスト信号又は他の所定のダウンリンク信号の受信信号品質を示し、
前記代表応答メッセージは、前記少なくとも１つの近隣無線端末により測定された受信信号品質から得られる少なくとも１つの統計値を示す、
請求項１又は２に記載の無線端末装置。
【請求項４】
前記少なくとも１つの統計値は、最小値、最大値、平均値、及び分散値のうち少なくとも１つを含む、
請求項３に記載の無線端末装置。
【請求項５】
前記少なくとも１つの統計値は、少なくとも最小値を含む、
請求項４に記載の無線端末装置。
【請求項６】
前記少なくとも１つの応答メッセージの各々は、各近隣無線端末による前記ブロードキャスト／マルチキャスト信号又は他の所定のダウンリンク信号の受信信号品質を示し、
前記代表応答メッセージは、前記少なくとも１つの近隣無線端末の各々の受信信号品質を示す、
請求項１又は２に記載の無線端末装置。
【請求項７】
前記ブロードキャスト／マルチキャスト信号は、Multimedia Broadcast/Multicast Service（MBMS）データを運ぶデータ無線ベアラを送信するためのダウンリンク無線チャネルである、
請求項１〜６のいずれか１項に記載の無線端末装置。
【請求項８】
前記少なくとも１つのプロセッサは、前記少なくとも１つの近隣無線端末を代理して前記代表応答メッセージを送信する代表端末を選出するための手順を実行するよう構成され、
前記手順は、前記無線端末装置による前記ブロードキャスト／マルチキャスト信号又は他の所定のダウンリンク信号の受信信号品質が前記少なくとも１つの近隣無線端末による前記ブロードキャスト／マルチキャスト信号又は前記所定のダウンリンク信号の受信信号品質よりも良好であるか否かを判定することを含む、
請求項１〜７のいずれか１項に記載の無線端末装置。
【請求項９】
前記少なくとも１つのプロセッサは、前記少なくとも１つの近隣無線端末を代理して前記代表応答メッセージを送信する代表端末を決定するための手順を実行するよう構成され、
前記手順は、各無線端末の前記ブロードキャスト／マルチキャスト信号又は他の所定のダウンリンク信号の受信信号品質と各無線端末のバッテリー残量に基づいて前記代表端末を決定することを含む、
請求項１〜７のいずれか１項に記載の無線端末装置。
【請求項１０】
前記少なくとも１つのプロセッサは、前記代表応答メッセージの緊急送信を要求する第１のメッセージを前記少なくとも１つの近隣無線端末のうち１又はそれ以上から受信したことに応答して、前記代表応答メッセージの所定の送信周期に従わずに前記代表応答メッセージを送信するよう構成されている、
請求項１〜９のいずれか１項に記載の無線端末装置。
【請求項１１】
前記少なくとも１つのプロセッサは、前記第１のメッセージの受信回数をカウントし、前記第１のメッセージの受信回数が所定値を超えた場合に前記代表応答メッセージを非周期的に送信するよう構成されている、
請求項１０に記載の無線端末装置。
【請求項１２】
前記第１のメッセージは、前記少なくとも１つの近隣無線端末を代理して前記代表応答メッセージを送信する代表端末の再選出手順の開始をトリガーする、
請求項１０に記載の無線端末装置。
【請求項１３】
前記少なくとも１つのプロセッサは、前記第１のメッセージの受信回数をカウントし、前記第１のメッセージの受信回数が所定値を超えた場合に前記代表端末の再選出手順を開始するよう構成されている、
請求項１２に記載の無線端末装置。
【請求項１４】
少なくとも１つの無線トランシーバと、
少なくとも１つのプロセッサと、
を備え、
前記少なくとも１つのプロセッサは、
セルラー通信ネットワークから送信されるブロードキャスト／マルチキャスト信号を、前記少なくとも１つの無線トランシーバを使用する前記セルラー通信ネットワークからのダウンリンク受信を介して受信し、
前記ブロードキャスト／マルチキャスト信号の受信に基づいて応答メッセージを生成し、且つ
前記応答メッセージを包含するdevice-to-device（D2D）信号を、前記少なくとも１つの無線トランシーバを使用するD2D通信を介して少なくとも１つの近隣無線端末に送信する、
よう構成されている、
無線端末装置。
【請求項１５】
前記応答メッセージは、前記少なくとも１つの近隣無線端末に含まれる代表端末によって代表応答メッセージを生成するために使用され、
前記代表応答メッセージは、前記代表端末による前記セルラー通信ネットワークへのアップリンク送信を介して、前記セルラー通信ネットワーク又は他のノードに送信される、
請求項１４に記載の無線端末装置。
【請求項１６】
前記少なくとも１つのプロセッサは、前記ブロードキャスト／マルチキャスト信号又は他の所定のダウンリンク信号の受信信号品質の低下を検出したことに応答して、前記代表応答メッセージの緊急送信を要求する第１のメッセージを、前記D2D通信を介して送信するよう構成されている、
請求項１５に記載の無線端末装置。
【請求項１７】
前記第１のメッセージは、前記代表端末の再選出手順の開始をトリガーする、
請求項１６に記載の無線端末装置。
【請求項１８】
前記応答メッセージは、前記ブロードキャスト／マルチキャスト信号又は他の所定のダウンリンク信号の受信信号品質を示す、
請求項１４〜１７のいずれか１項に記載の無線端末装置。
【請求項１９】
前記応答メッセージは、前記無線端末装置のバッテリー残量をさらに示す、
請求項１８に記載の無線端末装置。
【請求項２０】
前記D2D信号は、近隣無線端末を発見するためのディスカバリ手順で送信される、
請求項１４〜１９のいずれか１項に記載の無線端末装置。
【請求項２１】
前記少なくとも１つのプロセッサは、前記無線端末装置が属する端末グループに対して許可された送信タイミングにおいて前記D2D信号を送信するよう構成され、
前記送信タイミングは、他の端末グループによってD2D信号が送信されるタイミングと異なるよう調整されている、
請求項１４〜２０のいずれか１項に記載の無線端末装置。
【請求項２２】
前記少なくとも１つのプロセッサは、前記送信タイミングを定める設定情報を前記セルラー通信ネットワークから受信するよう構成されている、
請求項２１に記載の無線端末装置。
【請求項２３】
前記ブロードキャスト／マルチキャスト信号は、Multimedia Broadcast/Multicast Service（MBMS）データを運ぶデータ無線ベアラを送信するためのダウンリンク無線チャネルである、
請求項１４〜２２のいずれか１項に記載の無線端末装置。
【請求項２４】
無線端末装置によって行われる方法であって、
セルラー通信ネットワークから送信されるブロードキャスト／マルチキャスト信号を、前記無線端末装置の少なくとも１つの無線トランシーバを使用する前記セルラー通信ネットワークからのダウンリンク受信を介して受信すること、
少なくとも１つの近隣無線端末による前記ブロードキャスト／マルチキャスト信号の受信に基づいて前記少なくとも１つの近隣無線端末のそれぞれによって送信される少なくとも１つの応答メッセージを、前記少なくとも１つの無線トランシーバを使用するdevice-to-device（D2D）通信を介して受信すること、
前記少なくとも１つの無線トランシーバを介した前記ブロードキャスト／マルチキャスト信号の受信結果と前記少なくとも１つの応答メッセージの受信結果とに基づいて、代表応答メッセージを生成すること、及び
前記代表応答メッセージを、前記少なくとも１つの無線トランシーバを使用する前記セルラー通信ネットワークへのアップリンク送信を介して、前記セルラー通信ネットワーク又は他のノードに送信すること、
を備える方法。
【請求項２５】
無線端末装置によって行われる方法であって、
セルラー通信ネットワークから送信されるブロードキャスト／マルチキャスト信号を、前記無線端末装置の少なくとも１つの無線トランシーバを使用する前記セルラー通信ネットワークからのダウンリンク受信を介して受信すること、
前記ブロードキャスト／マルチキャスト信号の受信に基づいて応答メッセージを生成すること、及び
前記応答メッセージを包含するdevice-to-device（D2D）信号を、前記少なくとも１つの無線トランシーバを使用するD2D通信を介して少なくとも１つの近隣無線端末に送信すること、
を備える方法。
【請求項２６】
無線端末装置によって行われる方法をコンピュータに行わせるためのプログラムを格納した非一時的なコンピュータ可読媒体であって、
前記方法は、
セルラー通信ネットワークから送信されるブロードキャスト／マルチキャスト信号を、前記無線端末装置の少なくとも１つの無線トランシーバを使用する前記セルラー通信ネットワークからのダウンリンク受信を介して受信すること、
少なくとも１つの近隣無線端末による前記ブロードキャスト／マルチキャスト信号の受信に基づいて前記少なくとも１つの近隣無線端末のそれぞれによって送信される少なくとも１つの応答メッセージを、前記少なくとも１つの無線トランシーバを使用するdevice-to-device（D2D）通信を介して受信すること、
前記少なくとも１つの無線トランシーバを介した前記ブロードキャスト／マルチキャスト信号の受信結果と前記少なくとも１つの応答メッセージの受信結果とに基づいて、代表応答メッセージを生成すること、及び
前記代表応答メッセージを、前記少なくとも１つの無線トランシーバを使用する前記セルラー通信ネットワークへのアップリンク送信を介して、前記セルラー通信ネットワーク又は他のノードに送信すること、
を備える、
非一時的なコンピュータ可読媒体。
【請求項２７】
無線端末装置によって行われる方法をコンピュータに行わせるためのプログラムを格納した非一時的なコンピュータ可読媒体であって、
前記方法は、
セルラー通信ネットワークから送信されるブロードキャスト／マルチキャスト信号を、前記無線端末装置の少なくとも１つの無線トランシーバを使用する前記セルラー通信ネットワークからのダウンリンク受信を介して受信すること、
前記ブロードキャスト／マルチキャスト信号の受信に基づいて応答メッセージを生成すること、及び
前記応答メッセージを包含するdevice-to-device（D2D）信号を、前記少なくとも１つの無線トランシーバを使用するD2D通信を介して少なくとも１つの近隣無線端末に送信すること、
を備える、
非一時的なコンピュータ可読媒体。
【請求項２８】
セルラー通信ネットワークにおいて使用される基地局であって、
少なくとも１つの無線トランシーバと、
少なくとも１つのプロセッサと、
を備え、
前記少なくとも１つのプロセッサは、
ブロードキャスト／マルチキャスト信号を、前記少なくとも１つの無線トランシーバを使用するダウンリンク送信を介して複数の無線端末に送信し、
代表応答メッセージを、前記少なくとも１つの無線トランシーバを使用するアップリンク受信を介して、前記複数の無線端末のうちの代表端末から受信する、
よう構成され、
前記代表メッセージは、前記代表端末によって、少なくとも１つの近隣無線端末による前記ブロードキャスト／マルチキャスト信号の受信に基づいて前記少なくとも１つの近隣無線端末のそれぞれによって送信される少なくとも１つの応答メッセージをdevice-to-device（D2D）通信を介して受信することにより生成され、且つ前記代表端末による前記ブロードキャスト／マルチキャスト信号の受信結果と前記少なくとも１つの応答メッセージの受信結果とに基づいて生成される、
基地局。
【請求項２９】
セルラー通信ネットワークにおいて使用される基地局における方法であって、
ブロードキャスト／マルチキャスト信号を、前記少なくとも１つの無線トランシーバを使用するダウンリンク送信を介して複数の無線端末に送信すること、及び
代表応答メッセージを、前記少なくとも１つの無線トランシーバを使用するアップリンク受信を介して、前記複数の無線端末のうちの代表端末から受信すること、
を備え、
前記代表メッセージは、前記代表端末によって、少なくとも１つの近隣無線端末による前記ブロードキャスト／マルチキャスト信号の受信に基づいて前記少なくとも１つの近隣無線端末のそれぞれによって送信される少なくとも１つの応答メッセージをdevice-to-device（D2D）通信を介して受信することにより生成され、且つ前記代表端末による前記ブロードキャスト／マルチキャスト信号の受信結果と前記少なくとも１つの応答メッセージの受信結果とに基づいて生成される、
方法。
【請求項３０】
セルラー通信ネットワークにおいて使用される基地局における方法をコンピュータに行わせるためのプログラムを格納した非一時的なコンピュータ可読媒体であって、
前記方法は、
ブロードキャスト／マルチキャスト信号を、前記少なくとも１つの無線トランシーバを使用するダウンリンク送信を介して複数の無線端末に送信すること、及び
代表応答メッセージを、前記少なくとも１つの無線トランシーバを使用するアップリンク受信を介して、前記複数の無線端末のうちの代表端末から受信すること、
を備え、
前記代表メッセージは、前記代表端末によって、少なくとも１つの近隣無線端末による前記ブロードキャスト／マルチキャスト信号の受信に基づいて前記少なくとも１つの近隣無線端末のそれぞれによって送信される少なくとも１つの応答メッセージをdevice-to-device（D2D）通信を介して受信することにより生成され、且つ前記代表端末による前記ブロードキャスト／マルチキャスト信号の受信結果と前記少なくとも１つの応答メッセージの受信結果とに基づいて生成される、
非一時的なコンピュータ可読媒体。
【発明の詳細な説明】
【技術分野】
【０００１】
本開示は、セルラー通信ネットワークにおいて提供されるブロードキャスト／マルチキャスト・サービスに関し、特に、ブロードキャスト／マルチキャスト・サービスに関する応答メッセージの無線端末による送信に関する。
【背景技術】
【０００２】
公衆安全ネットワーク（public safety network（PSN））のためにLong Term Evolution（LTE）ネットワークを使用することが検討されている。ここで、公衆安全ネットワークとは、警察、消防、救急などの緊急サービスに使用される無線通信ネットワークである。公衆安全ネットワークのためのLTEシステムは、Public Safety LTE（PS-LTE）と呼ばれる。【０００３】
グループ通信（group communication）は、公衆安全ネットワークが必要とする主要なサービスの１つである。Third Generation Partnership Project（3GPP）は、グループ通信を可能とするために、Multimedia Broadcast Multicast Service（MBMS）を既に導入している。したがって、MBMS及びその発展（enhancements）をPS-LTEでのグループ通信の提供のために利用することが想定されている。【０００４】
具体的には、グループ通信を提供するためにGroup Communication Service Application Server（GCS AS）が使用される。GCS AS を含むグループ通信のアーキテクチャは、非特許文献１に規定されている。GCS ASは、アプリケーションドメインのエンティティであり、アプリケーションレイヤにおいてPS devices （i.e., User Equipments (UEs)）と通信する。GCS ASは、一対一（one-to-one）通信および一対多（one-to-many）通信を提供する。【０００５】
GCS ASは、UEsのグループへのアプリケーション・シグナリングの転送およびアプリケーション・データの配信のためにMBMS bearer serviceを使用できる。なお、GCS ASは、UEsのグループへのアプリケーション・シグナリングの転送およびアプリケーション・データの配信のために、Evolved Packet System (EPS) bearer servicesを使用することもできるし、MBMSベアラサービス及びEPSベアラサービスの両方を使用することもできる。すなわち、GCS ASは、UEsのグループへのアプリケーション・シグナリング及びデータの配信のために、UE個別のユニキャスト・ベアラサービス（EPS bearer services）を使うか、マルチキャスト・ベアラサービス（MBMS bearer service）を使うか、又はこれら両方を使うかを選択する。各EPS bearer serviceは、Serving Gateway（S-GW）及びPacket Data Network (PDN) Gateway (P-GW)によって、基地局（eNB）を含む無線アクセスネットワーク（i.e., Evolved Universal Terrestrial Radio Access Network（E-UTRAN））を介して各UEに提供される。MBMS bearer serviceは、Broadcast Multicast Service Center（BM-SC）及びMBMS Gateway（MBMS GW）によってE-UTRANを介してUEsのグループに提供される。
【先行技術文献】
【非特許文献】
【０００６】
【非特許文献１】3GPP TS 23.468 V13.3.0 (2015-12) “3rd Generation Partnership Project; Technical Specification Group Services and System Aspects; Group Communication System Enablers for LTE (GCSE_LTE); Stage 2 (Release 13)”, December 2015
【特許文献】
【０００７】
【特許文献１】国際公開第２０１６／１２１５６７号公報
【特許文献２】国際公開第２０１７／０３７８４５号公報
【発明の概要】
【発明が解決しようとする課題】
【０００８】
発明者等は、ブロードキャスト／マルチキャスト・サービス（e.g., MBMS）に関して無線端末によって送信される応答メッセージの効率的な配送（delivery）について検討した。応答メッセージは、フィードバックと呼ぶこともできるし、ブロードキャスト／マルチキャスト関連情報と呼ぶこともできる。応答メッセージは、ブロードキャスト／マルチキャスト・サービスに関連付けられる。無線端末は、ブロードキャスト／マルチキャスト信号をセルラー通信ネットワークからのダウンリンク受信を介して受信し、ブロードキャスト／マルチキャスト信号の受信に基づいて応答メッセージ（又はフィードバック、ブロードキャスト／マルチキャスト関連情報）を生成する。無線端末は、生成した応答メッセージを、セルラー通信ネットワークへのアップリンク送信を介して、セルラー通信ネットワーク又はサーバ（e.g., GCS AS）に送信する。【０００９】
例えば、特許文献１に示されるように、各無線端末は、セルラー通信ネットワークからブロードキャスト／マルチキャスト信号を受信し、ダウンリンク受信信号品質（e.g., RSRP又はRSRQ）を示す応答メッセージをセルラー通信ネットワークに報告してもよい。一例として、各無線端末は、ダウンリンク受信信号品質が所定の閾値を下回る場合に、応答メッセージ（フィードバック）をセルラー通信ネットワークに送信する。【００１０】
しかしながら、公衆安全ネットワーク（e.g., PS-LTEネットワーク）におけるブロードキャスト／マルチキャスト・サービスの利用を考えると、閾値を下回るダウンリンク受信信号品質しか享受できない多くの無線端末が存在する状況が考えられる。多くの無線端末による応答メッセージ（フィードバック）の送信のために公衆安全ネットワークの多くのアップリンク無線リソースが使用されることは好ましくないかもしれない。【００１１】
なお、特許文献２は、複数の無線端末が互いの間でdevice-to-device （D2D）通信を行い、これら複数の無線端末が１つの代表端末をこれら複数の無線端末の中から選出し、当該代表端末のみがMinimization of Drive Tests（MDT）のための測定、ロギング及び報告を実行することを開示している。これにより、代表端末を除く他の無線端末は、MDTのための測定、ロギング及び報告を免除される。しかしながら、特許文献２は、ブロードキャスト／マルチキャスト・サービスに関して何ら開示していない。さらに、特許文献２に開示された技術では、代表端末以外の無線端末は、ダウンリンク受信信号品質の測定、ロギング及び報告を免除される。したがって、例えば、特許文献２は、代表端末が他の無線端末から測定情報（e.g., 受信信号品質）を受け取り、これを他の無線端末の代わりにネットワークに報告することを示唆していない。【００１２】
本明細書に開示される実施形態が達成しようとする目的の１つは、ブロードキャスト／マルチキャスト・サービスに関する応答メッセージの無線端末による送信の効率化に寄与する装置、方法、及びプログラムを提供することである。なお、この目的は、本明細書に開示される複数の実施形態が達成しようとする複数の目的の１つに過ぎないことに留意されるべきである。その他の目的又は課題と新規な特徴は、本明細書の記述又は添付図面から明らかにされる。
【課題を解決するための手段】
【００１３】
第１の態様では、無線端末装置は、少なくとも１つの無線トランシーバ、及び少なくとも１つのプロセッサを含む。前記少なくとも１つのプロセッサは、セルラー通信ネットワークから送信されるブロードキャスト／マルチキャスト信号を、前記少なくとも１つの無線トランシーバを使用する前記セルラー通信ネットワークからのダウンリンク受信を介して受信するよう構成されている。前記少なくとも１つのプロセッサは、少なくとも１つの近隣無線端末による前記ブロードキャスト／マルチキャスト信号の受信に基づいて前記少なくとも１つの近隣無線端末のそれぞれによって送信される少なくとも１つの応答メッセージを、前記少なくとも１つの無線トランシーバを使用するdevice-to-device（D2D）通信を介して受信するよう構成されている。前記少なくとも１つのプロセッサは、前記少なくとも１つの無線トランシーバを介した前記ブロードキャスト／マルチキャスト信号の受信結果と前記少なくとも１つの応答メッセージの受信結果とに基づいて、代表応答メッセージを生成するよう構成されている。さらに、前記少なくとも１つのプロセッサは、前記代表応答メッセージを、前記少なくとも１つの無線トランシーバを使用する前記セルラー通信ネットワークへのアップリンク送信を介して、前記セルラー通信ネットワーク又は他のノードに送信するよう構成されている。【００１４】
第２の態様では、無線端末装置によって行われる方法は、
（ａ）セルラー通信ネットワークから送信されるブロードキャスト／マルチキャスト信号を、前記無線端末装置の少なくとも１つの無線トランシーバを使用する前記セルラー通信ネットワークからのダウンリンク受信を介して受信すること、
（ｂ）少なくとも１つの近隣無線端末による前記ブロードキャスト／マルチキャスト信号の受信に基づいて前記少なくとも１つの近隣無線端末のそれぞれによって送信される少なくとも１つの応答メッセージを、前記少なくとも１つの無線トランシーバを使用するdevice-to-device（D2D）通信を介して受信すること、
（ｃ）前記少なくとも１つの無線トランシーバを介した前記ブロードキャスト／マルチキャスト信号の受信結果と前記少なくとも１つの応答メッセージの受信結果とに基づいて、代表応答メッセージを生成すること、及び
（ｄ）前記代表応答メッセージを、前記少なくとも１つの無線トランシーバを使用する前記セルラー通信ネットワークへのアップリンク送信を介して、前記セルラー通信ネットワーク又は他のノードに送信すること、
を含む。【００１５】
第３の態様では、無線端末装置は、少なくとも１つの無線トランシーバ、及び少なくとも１つのプロセッサを含む。前記少なくとも１つのプロセッサは、セルラー通信ネットワークから送信されるブロードキャスト／マルチキャスト信号を、前記少なくとも１つの無線トランシーバを使用する前記セルラー通信ネットワークからのダウンリンク受信を介して受信するよう構成されている。前記少なくとも１つのプロセッサは、前記ブロードキャスト／マルチキャスト信号の受信に基づいて応答メッセージを生成するよう構成されている。さらに、前記少なくとも１つのプロセッサは、前記応答メッセージを包含するdevice-to-device（D2D）信号を、前記少なくとも１つの無線トランシーバを使用するD2D通信を介して少なくとも１つの近隣無線端末に送信するよう構成されている。【００１６】
第４の態様では、無線端末装置によって行われる方法は、
（ａ）セルラー通信ネットワークから送信されるブロードキャスト／マルチキャスト信号を、前記無線端末装置の少なくとも１つの無線トランシーバを使用する前記セルラー通信ネットワークからのダウンリンク受信を介して受信すること、
（ｂ）前記ブロードキャスト／マルチキャスト信号の受信に基づいて応答メッセージを生成すること、及び
（ｃ）前記応答メッセージを包含するdevice-to-device（D2D）信号を、前記少なくとも１つの無線トランシーバを使用するD2D通信を介して少なくとも１つの近隣無線端末に送信すること、
を含む。【００１７】
第５の態様では、プログラムは、コンピュータに読み込まれた場合に、上述の第２又は第４の態様に係る方法をコンピュータに行わせるための命令群（ソフトウェアコード）を含む。
【発明の効果】
【００１８】
上述の態様によれば、ブロードキャスト／マルチキャスト・サービスに関する応答メッセージの無線端末による送信の効率化に寄与する装置、方法、及びプログラムを提供できる。
【図面の簡単な説明】
【００１９】
【図１】実施形態に係る無線通信ネットワークの構成例を示す図である。
【図２】実施形態に係る無線通信ネットワークの構成例を示す図である。
【図３】実施形態に係る無線端末の動作の一例を示すフローチャートである。
【図４】実施形態に係る無線端末の動作の一例を示すシーケンス図である。
【図５】実施形態に係る無線端末の動作の一例を示すフローチャートである。
【図６】実施形態に係る無線端末のD2D送信タイミングの一例を説明するための図である。
【図７】実施形態に係る無線端末の動作の一例を示すフローチャートである。
【図８】実施形態に係る無線端末の動作の一例を示すフローチャートである。
【図９】実施形態に係る無線端末の構成例を示すブロック図である。
【図１０】実施形態に係る基地局の構成例を示すブロック図である。
【発明を実施するための形態】
【００２０】
以下では、具体的な実施形態について、図面を参照しながら詳細に説明する。各図面において、同一又は対応する要素には同一の符号が付されており、説明の明確化のため、必要に応じて重複説明は省略される。
【００２１】
＜第１の実施形態＞
図１は、本実施形態を含む複数の実施形態に係る無線通信ネットワークの構成例を示している。無線端末（e.g., LTE UE）１Ａ及び１Ｂの各々は、少なくとも１つの無線トランシーバを有し、基地局（e.g., LTE eNodeB (eNB)）２とのセルラー通信（１０１又は１０２）を行うとともに、端末間ダイレクトインタフェース１０３上でD2D通信を行うよう構成されている。
【００２２】
D2D通信は、無線端末が基地局等のインフラストラクチャ・ネットワークを介さずに他の無線端末と直接的に通信する形態を意味する。D2D通信は、直接通信（Direct Communication）および直接ディスカバリ（Direct Discovery）のうち少なくとも一方を含む。幾つかの実装において、D2D通信をサポートする複数の無線端末は、自律的に又はネットワークの指示に従ってD2D通信グループを形成し、当該D2D通信グループ内の他の無線端末と通信を行う。
【００２３】
Third Generation Partnership Project (3GPP) Release 12及びRelease 13に規定されたProximity-based services（ProSe）は、D2D通信の一例である。ProSe直接ディスカバリは、ProSeを実行可能な無線端末（ProSe-enabled User Equipment（UE））が他のProSe-enabled UEを、これら２つのUEが有する無線通信技術（例えば、Evolved Universal Terrestrial Radio Access (E-UTRA) technology）の能力だけを用いてディスカバリする手順により行われる。ProSe直接ディスカバリは、３つ以上のProSe-enabled UEsにより行われてもよい。
【００２４】
ProSe直接通信は、例えばProSe直接ディスカバリの手順の後に、直接通信レンジ内に存在する２以上のProSe-enabled UEsの間の通信パスの確立を可能にする。言い換えると、ProSe直接通信は、ProSe-enabled UEが、eNBを含む公衆地上移動通信ネットワーク（Public Land Mobile Network (PLMN)）を経由せずに、他のProSe-enabled UEと直接的に通信することを可能にする。ProSe直接通信は、eNBにアクセスする場合と同様の無線通信技術（i.e., Evolved Universal Terrestrial Radio Access (E-UTRA) technology）を用いて行われてもよいし、Wireless Local Area Network (WLAN)の無線技術（つまり、IEEE 802.11 radio technology）を用いて行われてもよい。
【００２５】
3GPP Release 12及びRelease 13では、直接通信または直接ディスカバリに用いられる無線端末（UEs）間の無線リンクは、サイドリンク（Sidelink）と呼ばれる。サイドリンク送信は、アップリンク及びダウンリンクのために定義されたLong Term Evolution（LTE）フレーム構造と同じフレーム構造を使用し、周波数および時間ドメインにおいてアップリンク・リソースのサブセットを使用する。無線端末（UE）は、アップリンクと同様のシングルキャリア周波数分割多重（Single Carrier FDMA（Frequency Division Multiple Access）、SC-FDMA）を使用してサイドリンク送信を行う。
【００２６】
基地局２は、セルラー通信ネットワーク（又はPLMN）内の無線アクセスネットワーク内に配置されたエンティティである。無線アクセスネットワークの一例は、LTEのE-UTRA Network（E-UTRAN）である。基地局２は、１又は複数のセルを含むセルラーカバレッジ２１を提供し、セルラー通信技術（e.g., E-UTRA technology）を用いて各無線端末１とセルラー通信を行うよう構成されている。
【００２７】
コアネットワーク４は、複数のユーザープレーン・エンティティ、及び複数のコントロールプレーン・エンティティを含む。複数のユーザープレーン・エンティティは、基地局２を含む無線アクセスネットワークと外部ネットワークとの間で無線端末１Ａ及び１Ｂのユーザデータを中継する。複数のコントロールプレーン・エンティティは、無線端末１Ａ及び１Ｂのモビリティ管理、セッション管理（ベアラ管理）、加入者情報管理、及び課金管理を含む様々な制御を行う。コアネットワーク４の一例は、LTEのEvolved Packet Core（EPC）である。コアネットワーク４がEPCであるとき、複数のユーザープレーン・エンティティは、Serving Gateway (S-GW)及びPacket Data Network Gateway (P-GW)を含み、複数のコントロールプレーン・エンティティは、Mobility Management Entity（MME）及びHome Subscriber Server（HSS）を含む。
【００２８】
幾つかの実装において、近接サービス（e.g., 3GPP ProSe）を利用するために、無線端末１Ａ及び１Ｂは、基地局２及びコアネットワーク４を介してD2Dコントローラ３と通信するよう構成されてもよい。例えば、3GPP ProSeの場合、D2Dコントローラ３は、ProSe function エンティティに相当する。無線端末１Ａ及び１Ｂは、例えば、D2Dコントローラ３によって提供されるネットワークレベル・ディスカバリ（e.g., EPC-level ProSe Discovery）を利用してもよいし、D2D通信（e.g., ProSe Direct Discovery又はProSe Direct Communication）の無線端末１Ａ及び１Ｂにおける起動（有効化、activation）を許可することを示すメッセージをD2Dコントローラ３から受信してもよいし、セルラーカバレッジ２１におけるD2D通信に関する設定情報をD2Dコントローラ３から受信してもよい。
【００２９】
続いて以下では、無線端末２によるブロードキャスト／マルチキャスト・サービスに関する応答メッセージの送信動作について、図２〜図４を参照して説明する。図２は、PS-LTEのためにMBMSが使用される場合のネットワーク構成例を示している。図２の例では、セルラー通信ネットワーク１０は、基地局（eNB）２、MBMS GW５、BM-SC６を含む。サーバ（e.g., GCS AS）７は、無線端末（UEs）１Ａ、１Ｂ、及び１Ｃを含むUEsのグループへのアプリケーション・シグナリングの転送およびアプリケーション・データの配信のために、セルラー通信ネットワーク１０により提供されるMBMS bearer serviceを使用する。
【００３０】
無線端末（UEs）１Ａ、１Ｂ、及び１Ｃの各々は、ブロードキャスト／マルチキャスト信号２２０をセルラー通信ネットワーク１０からのダウンリンク受信を介して受信する。MBMSの例では、ブロードキャスト／マルチキャスト信号は、MBMSデータを運ぶデータ無線ベアラ、つまりMBMS Radio Bearer（MRB）又はPoint-to-Multipoint （PTM）Radio Bearer、を送信するためのダウンリンク無線チャネルであってもよい。MBMSのための送信スキームとして、Multicast Broadcast Single Frequency Network（MBSFN）及びSingle Cell Point to Multi-point（SC-PTM）が導入されている。MBSFN スキームが利用される場合、MRB（又はPTMベアラ）は、Multicast Channel（MCH）及びPhysical Multicast Channel（PMCH）を用いて送信される。一方、SC-PTMが利用される場合、MRB（又はPTMベアラ）は、Downlink Shared Channel（DL-SCH）及びPhysical Downlink Shared Channel（PDSCH）を用いて送信される。
【００３１】
以下の説明では、無線端末（UEs）１Ａ、１Ｂ、及び１Ｃを含む複数の無線端末（UE）に共通する事項を説明する場合、参照符号１を用いて単に“無線端末（UE）UE１”が参照される。各無線端末１は、ブロードキャスト／マルチキャスト・サービスに関する応答メッセージを生成する。既に説明したように、応答メッセージは、フィードバックと呼ぶこともできるし、ブロードキャスト／マルチキャスト関連情報と呼ぶこともできる。応答メッセージは、ブロードキャスト／マルチキャスト・サービスに関連付けられる。
【００３２】
MBMSの例では、各無線端末（UE）１によって生成される応答メッセージは、ダウンリンク受信信号品質を示してもよい。すなわち、各無線端末１は、基地局２によって送信されるダウンリンク信号（e.g., ブロードキャスト／マルチキャスト信号２２０、所定の参照信号）の受信信号品質を計測してよい。ダウンリンク受信信号品質は、例えば、Reference Signal Received Power（RSRP）、又はReference Signal Received Quality（RSRQ）であってもよい。さらに又はこれに代えて、ダウンリンク受信信号品質は、ブロードキャスト／マルチキャスト信号に関するSignal to Interference plus Noise Ratio（SINR）、又はSINRに基づくChannel Quality Indicator（CQI）であってもよい。
【００３３】
さらに、各無線端末１は、自身が生成した応答メッセージを包含するD2D信号を近隣の他の無線端末１にD2D通信を介して送信する。言い換えると、各無線端末１は、応答メッセージを包含するD2D信号を近隣の無線端末（UEs）１の間で交換する（２３１、２３２、及び２３３）。
【００３４】
幾つかの実装において、応答メッセージを包含するD2D信号は、近隣無線端末を発見するためのディスカバリ手順で送信される信号であってもよい。いわゆるアナウンスメント・モデル（モデルA）に従って、announcing UE として動作する無線端末１は、応答メッセージを包含するディスカバリ信号を送信（ブロードキャスト）してもよい。monitoring UEとして動作する他の無線端末１は、ディスカバリ信号をannouncing UEから受信することで、当該announcing UEから応答メッセージを受信してもよい。
【００３５】
これに代えて、いわゆる依頼（solicitation）／応答（response）モデル（モデルB）に従って、discoveree UEとして動作するUE１が応答メッセージを包含する応答信号（応答メッセージ）を送信してもよい。discoverer UEとして動作する他の無線端末１は、discoveree UEからの応答メッセージを受信することによって、当該discoveree UEから応答メッセージを受信してもよい。
【００３６】
複数の無線端末１Ａ、１Ｂ、及び１Ｃは、これら複数の無線端末を代表する代表端末（representative terminal）をこれら複数の無線端末の中から選出する。ここでは、代表端末が無線端末１Ａであると仮定する。代表端末１Ａは、ブロードキャスト／マルチキャスト信号２２０の自身の受信結果と他の無線端末１Ｂ及び１Ｃからの応答メッセージの受信結果とに基づいて、代表応答メッセージを生成する。そして、代表端末１Ａは、生成した代表応答メッセージを、セルラー通信ネットワーク１０へのアップリンク送信２４０を介して、セルラー通信ネットワーク１０又は他のノード（e.g., サーバ７）に送信する。すなわち、代表端末１Ａは、少なくとも１つの近隣無線端末（無線端末１Ｂ及び１Ｃ）を代理して代表応答メッセージを送信する。
【００３７】
幾つかの実装において、各無線端末１によって生成される応答メッセージは、各無線端末１によるブロードキャスト／マルチキャスト信号２２０又は他の所定のダウンリンク信号（e.g., 参照信号）の受信信号品質を示してもよい。この場合、代表応答メッセージは、複数の無線端末１により測定された受信信号品質から得られる少なくとも１つの統計値を示してもよい。代表応答メッセージに包含される少なくとも１つの統計値は、最小値、最大値、平均値、及び分散値のうち少なくとも１つを含んでもよい。
【００３８】
より具体的には、代表応答メッセージに包含される少なくとも１つの統計値は、少なくとも複数の無線端末１によって得られたダウンリンク受信信号品質の複数の測定値のうち最小値を含んでもよい。例えば、サーバ（e.g., GCS AS）７は、これら複数の無線端末１のグループへのデータ送信のためにブロードキャスト／マルチキャスト送信（e.g., MBMSベアラサービス）を利用するか又はユニキャスト送信（e.g., EPSベアラサービス）を利用するかを、報告されたダウンリンク受信信号品質の最小値に基づいて決定できる。さらに又はこれに代えて、例えば、基地局２は、ブロードキャスト／マルチキャスト信号の送信制御（e.g., modulation and coding scheme（MCS）制御、送信電力制御）を報告されたダウンリンク受信信号品質の最小値に基づいて決定できる。
【００３９】
代表応答メッセージは、代表端末１によって代表される端末グループの無線端末１の数を示してもよい。
【００４０】
代表応答メッセージは、複数の無線端末１によって測定されたダウンリンク受信信号品質の複数の測定値の全てを含んでもよい。言い換えると、代表応答メッセージは、代表端末１Ａ並びに他の無線端末１Ｂ及び１Ｃによって生成された複数の応答メッセージの全てを包含してもよい。例えば、サーバ（e.g., GCS AS）７は、各無線端末１によって測定された各測定値を参照でき、各無線端末１の無線状態に応じた送信方法（e.g., ブロードキャスト／マルチキャスト送信またはユニキャスト送信）を無線端末１毎に選択できる。
【００４１】
図３は、本実施形態に係る無線端末１の動作の一例（処理３００）を示すフローチャートである。ステップ３０１では、無線端末１は、セルラー通信ネットワーク１０から送信されるブロードキャスト／マルチキャスト信号を受信する。ブロードキャスト／マルチキャスト信号は、ブロードキャスト／マルチキャスト・サービスに関する。ステップ３０２では、無線端末１は、当該ブロードキャスト／マルチキャスト・サービスに関する応答メッセージを生成し、これを包含するD2D信号を近隣の無線端末（UEs）の間で交換する。
【００４２】
ステップ３０３では、無線端末１は、自身が代表端末であるか否かを判定する。もし無線端末１が代表端末であるなら、無線端末１は、代表応答メッセージを生成し、当該代表応答メッセージをセルラー通信ネットワーク１０に送信する（ステップ３０４及び３０５）。
【００４３】
図４は、本実施形態に係る代表応答メッセージの送信動作の一例（処理４００）を示すシーケンス図である。ステップ４０１では、基地局２は、セルラーカバレッジ２１においてブロードキャスト／マルチキャスト信号を送信する。無線端末（UE）１Ａ及び１Ｂは、このブロードキャスト／マルチキャスト信号を受信する。ステップ４０２では、無線端末１Ａ及び１Ｂは、応答メッセージをD2D通信を介して互いの間で交換する。すなわち、無線端末１Ａは、ブロードキャスト／マルチキャスト信号の受信に基づく応答メッセージを生成し、これを無線端末１Ｂに送る。同様に、無線端末１Ｂは、ブロードキャスト／マルチキャスト信号の受信に基づく応答メッセージを生成し、これを無線端末１Ａに送る。
【００４４】
ステップ４０３では、無線端末１Ａが代表端末として選出される。ステップ４０４では、無線端末１Ａ、すなわち代表端末は、代表応答メッセージを基地局２に、又は基地局２を介して他のノード（e.g., サーバ７）に送信する。
【００４５】
図２〜図４を参照して説明された上述の動作によれば、各無線端末１がブロードキャスト／マルチキャスト・サービスに関する応答メッセージを生成するものの、これらは複数の無線端末１の間のD2D送信によって送信されるのみである。そして、複数の無線端末１の応答メッセージに基づいて生成された代表応答メッセージのみが、代表端末１Ａによってセルラー通信ネットワーク１０にアップリンク送信される。したがって、図２〜図４を参照して説明された上述の動作は、多くの無線端末１による応答メッセージ（フィードバック）の送信のためにセルラー通信ネットワーク１０の多くのアップリンク無線リソースが使用されること回避することを可能にする。
【００４６】
＜第２の実施形態＞
本実施形態は、代表端末による代表応答メッセージの生成手順の具体例を提供する。本実施形態に係る無線通信ネットワークの構成例は、図１及び図２に示された例と同様である。
【００４７】
図５は、本実施形態に係る代表端末（e.g., 無線端末１）の動作の一例（処理５００）を示すフローチャートである。ステップ５０１では、代表端末（e.g., 無線端末１）は、各近隣無線端末（e.g., 無線端末１Ｂ又は１Ｃ）によって送信されるD2D信号の受信信号品質を計測する。当該D2D信号は、応答メッセージを包含するD2D信号であってもよいし、これとは別のD2D信号であってもよい。
【００４８】
ステップ５０２では、代表端末は、計測されたD2D信号の受信信号品質が所定の第１の閾値を下回る近隣無線端末から受け取った応答メッセージを、代表応答メッセージを生成するための計算から除外する。
【００４９】
ステップ５０３では、ステップ５０２において除外された応答メッセージ（又は近隣無線端末）を除いて、残りの受信された応答メッセージと自身の応答メッセージに基づいて代表応答メッセージを生成する。
【００５０】
図５のステップ５０２に代えて、代表端末は、計測されたD2D信号の受信信号品質が所定の下限閾値（第１の閾値）と上限閾値（第２の閾値）によって定められる範囲の外である場合に、当該D2D信号の送信元の近隣無線端末から受け取った応答メッセージを、代表応答メッセージを生成するための計算から除外してもよい。
【００５１】
近隣無線端末からのD2D信号の代表端末による受信信号品質が著しく低い場合は、当該近隣無線端末が当該代表端末から遠く離れて位置している状況である可能性がある。あるいは、当該近隣無線端末が建物内に位置し且つ当該代表端末が屋外に位置する状況、又はその反対の状況である可能性がある。これらの状況では、当該代表端末でのブロードキャスト／マルチキャスト信号２２０の受信信号品質は、当該近隣無線端末での当該信号２２０の受信信号品質と大きく異なる可能性がある。図５を参照して説明された代表応答メッセージの生成動作は、ブロードキャスト／マルチキャスト信号２２０の受信信号品質が代表端末のそれと大きく異なる可能性が高い近隣無線端末によって生成された応答メッセージを除外できる。これにより、セルラー通信ネットワーク１０又はサーバ７によるブロードキャスト／マルチキャスト・サービスに関する制御の性能の向上に寄与できる。
【００５２】
＜第３の実施形態＞
本実施形態は、代表端末の選出手順（選出方法）の具体例を提供する。本実施形態に係る無線通信ネットワークの構成例は、図１及び図２に示された例と同様である。
【００５３】
幾つかの実装において、各無線端末１は、ブロードキャスト／マルチキャスト信号２２０（又は他の所定のダウンリンク信号）の自身による受信信号品質が、１又はそれ以上の近隣無線端末１による信号２２０（又は他の所定のダウンリンク信号）の受信信号品質よりも良好であるか否かを判定してもよい。言い換えると、各無線端末１は、セルラー通信ネットワーク１０からのブロードキャスト／マルチキャスト信号２２０（又は他の所定のダウンリンク信号）を、１又はそれ以上の近隣無線端末１に比べて良好に受信しているか否かを判定してもよい。すなわち、各無線端末１は、自発的に当該判定を実行する。そして、各無線端末１は、もしブロードキャスト／マルチキャスト信号２２０（又は他の所定のダウンリンク信号）の受信信号品質が近隣無線端末１によるそれよりも良いなら、自身が代表端末に選出されたことを認識する。
【００５４】
この代表端末の選出手順に従うと、代表端末は、セルラー通信ネットワーク１０との通信状態が他の近隣無線端末に比べて良好であることが期待できる。したがって、例えば、代表応答メッセージの送信に要する無線リソースを低減できる。さらに又はこれに代えて、代表応答メッセージの送信スループットを向上できる。さらに又はこれに代えて、代表応答メッセージの送信失敗を抑制できる。
【００５５】
各無線端末１は、代表端末を選出するために、各無線端末１のバッテリー残量をさらに考慮してもよい。すなわち、各無線端末１は、ブロードキャスト／マルチキャスト信号２２０（又は他の所定のダウンリンク信号）の複数の無線端末１それぞれによる受信信号品質と複数の無線端末１それぞれのバッテリー残量に基づいて代表端末を選出してもよい。この選出手順を可能とするために、各無線端末１によってD2D送信される応答メッセージは、各無線端末１のバッテリー残量をさらに示してもよい。
【００５６】
各無線端末１は、以下の式（１）及び（２）によって定義されてもよい：
【数１】
2018198446.tif 000003
ここで、QMAXは、複数の無線端末１による複数のダウンリンク受信信号品質（Qk）の中で最良のダウンリンク受信信号品質であり、CMAXは、複数の無線端末１の複数のバッテリー残量（Ck）の中で最大の値であり、wは０以上１以下のウェイト係数である。式（１）のarg max演算子（operator）は、式（２）で定義される関数f(k)がその最大値となる無線端末を参照する。言い換えると、式（１）は、ダウンリンク受信信号品質及びバッテリー残量を共に考慮する関数F(k) がその最大値となる無線端末が代表端末に選出されることを示す。
【００５７】
代表端末の選出におけるバッテリー残量の考慮は、複数の無線端末１のバッテリー消費を平準化することに寄与できる。
【００５８】
＜第４の実施形態＞
本実施形態は、各無線端末１によるD2D信号の送信タイミングの具体例を提供する。本実施形態に係る無線通信ネットワークの構成例は、図１及び図２に示された例と同様である。
【００５９】
図６は、複数の端末グループ（groups）によるD2D信号の送信タイミングを示している。各端末グループは、複数の無線端末１（e.g., 無線端末１Ａ、１Ｂ、及び１Ｃ）を含む。
図６の例では、端末グループ（UEグループ）＃１は、送信タイミング６０１においてD2D信号を送信する。端末グループ（UEグループ）＃２は、送信タイミング６０２においてD2D信号を送信する。端末グループ（UEグループ）＃３は、送信タイミング６０３においてD2D信号を送信する。
【００６０】
すなわち、各端末グループの送信タイミングは、他の端末グループによってD2D信号が送信されるタイミングと異なるよう調整されている。これにより、D2D信号を送信するためのD2D無線リソースの不足を回避できる。
【００６１】
一例では、図６に示されるように、複数の端末グループは、同一の送信周期に従いつつ、基準タイミングT0からの異なるシフト量D1、D2、及びD3によって定義された互いに異なる送信位相に従ってもよい。これに代えて、複数の端末グループは、互いに異なる送信周期に従ってD2D信号を送信してもよい。複数の端末グループの異なる送信周期は、これらが互いに素であるように定義されてもよい。あるいは、複数の端末グループの異なる送信周期は、これらの最小公倍数がなるべく大きくなるように定義されてもよい。
【００６２】
各無線端末１は、D2D信号の送信タイミングを定める設定情報をセルラー通信ネットワーク１０から受信してもよい。これに代えて、各無線端末１は、D2D信号の送信タイミングを自律的に決定してもよい。例えば、各無線端末は、自身が属する端末グループのD2D信号の送信タイミングを自身が属する端末グループの識別子を用いて導出してもよい。
【００６３】
＜第５の実施形態＞
本実施形態は、代表応答メッセージを緊急送信するための手順を提供する。本実施形態に係る無線通信ネットワークの構成例は、図１及び図２に示された例と同様である。
【００６４】
図７は、非代表端末の動作の一例（処理７００）を示すフローチャートである。ステップ７０１では、非代表端末は、ブロードキャスト／マルチキャスト・サービスの品質の低下を検出する。非代表端末は、ブロードキャスト／マルチキャスト信号２２０又は他のダウンリンク信号の受信信号品質の低下を検出してもよい。
【００６５】
ステップ７０２では、非代表端末は、ブロードキャスト／マルチキャスト・サービスの品質の低下を検出したことに応答して、代表応答メッセージの緊急送信を要求するためのメッセージ（以下、緊急送信要求）を包含するD2D信号を送信する。
【００６６】
一方、図８は、代表端末の動作の一例（処理８００）を示すフローチャートである。ステップ８０１では、代表端末は、緊急送信要求の受信回数をカウントする。ステップ８０２では、代表端末は、緊急送信要求の受信回数が所定の閾値を超えた場合に、代表応答メッセージを緊急的にセルラー通信ネットワーク１０に送信する。代表端末は、予め定められた送信周期に従わずに、非周期的に代表応答メッセージを送信してもよい。
【００６７】
なお、幾つかの実装において、代表応答メッセージの送信は、代表端末の（再）選出に関連付けて実行されてもよい。この場合、上述の緊急送信要求は、代表端末の再選出手順の開始をトリガーしてもよい。代表端末は、緊急送信要求の受信回数が所定の閾値を超えた場合に、代表端末の再選出手順を開始してもよい。代表端末は、近隣の無線端末１（非代表端末）に再選出手順の開始を知らせるD2D信号を送信（ブロードキャスト）してもよい。
【００６８】
本実施形態で説明された代表応答メッセージの緊急送信手順を使用することで、いずれかの無線端末１のブロードキャスト／マルチキャスト・サービスの品質の急激な低下に対処するための制御を行うことをネットワーク１０又はサーバ７に可能にできる。
【００６９】
続いて以下では、上述の複数の実施形態に係る無線端末１及び基地局２の構成例について説明する。図９は、無線端末１の構成例を示すブロック図である。Radio Frequency（RF）トランシーバ９０１は、基地局２と通信するためにアナログRF信号処理を行う。RFトランシーバ９０１により行われるアナログRF信号処理は、周波数アップコンバージョン、周波数ダウンコンバージョン、及び増幅を含む。RFトランシーバ９０１は、アンテナ９０２及びベースバンドプロセッサ９０３と結合される。すなわち、RFトランシーバ９０１は、変調シンボルデータ（又はOFDMシンボルデータ）をベースバンドプロセッサ９０３から受信し、送信RF信号を生成し、送信RF信号をアンテナ９０２に供給する。また、RFトランシーバ９０１は、アンテナ９０２によって受信された受信ＲＦ信号に基づいてベースバンド受信信号を生成し、これをベースバンドプロセッサ９０３に供給する。
【００７０】
さらに、RFトランシーバ９０１は、D2D通信のために使用されてもよい。RFトランシーバ９０１は、セルラー通信ネットワーク１０とのダウンリンク及びアップリンクのために使用されるトランシーバと、複数の無線端末１の間のD2D通信のために使用されるトランシーバを含む複数のトランシーバを含んでもよい。
【００７１】
ベースバンドプロセッサ９０３は、無線通信のためのデジタルベースバンド信号処理（データプレーン処理）とコントロールプレーン処理を行う。デジタルベースバンド信号処理は、(a) データ圧縮／復元、(b) データのセグメンテーション／コンカテネーション、(c) 伝送フォーマット（伝送フレーム）の生成／分解、(d) 伝送路符号化／復号化、(e) 変調（シンボルマッピング）／復調、及び(f) Inverse Fast Fourier Transform（IFFT）によるOFDMシンボルデータ（ベースバンドOFDM信号）の生成などを含む。一方、コントロールプレーン処理は、レイヤ１（e.g., 送信電力制御）、レイヤ２（e.g., 無線リソース管理、及びhybrid automatic repeat request（HARQ）処理）、及びレイヤ３（e.g., アタッチ、モビリティ、及び通話管理に関するシグナリング）の通信管理を含む。
【００７２】
例えば、LTEおよびLTE-Advancedの場合、ベースバンドプロセッサ９０３によるデジタルベースバンド信号処理は、Packet Data Convergence Protocol（PDCP）レイヤ、Radio Link Control（RLC）レイヤ、Medium Access Control（MAC）レイヤ、および物理（PHY）レイヤの信号処理を含んでもよい。また、ベースバンドプロセッサ９０３によるコントロールプレーン処理は、Non-Access Stratum（NAS）プロトコル、Radio Resource Control（RRC）プロトコル、及びMAC Control Element（MAC CE）の処理を含んでもよい。
【００７３】
ベースバンドプロセッサ９０３は、デジタルベースバンド信号処理を行うモデム・プロセッサ（e.g., Digital Signal Processor（DSP））とコントロールプレーン処理を行うプロトコルスタック・プロセッサ（e.g., Central Processing Unit（CPU）、又はMicro Processing Unit（MPU））を含んでもよい。この場合、コントロールプレーン処理を行うプロトコルスタック・プロセッサは、後述するアプリケーションプロセッサ９０４と共通化されてもよい。
【００７４】
アプリケーションプロセッサ９０４は、CPU、MPU、マイクロプロセッサ、又はプロセッサコアとも呼ばれる。アプリケーションプロセッサ９０４は、複数のプロセッサ（複数のプロセッサコア）を含んでもよい。アプリケーションプロセッサ９０４は、メモリ９０６又は図示されていないメモリから読み出されたシステムソフトウェアプログラム（Operating System（OS））及び様々なアプリケーションプログラム（例えば、通話アプリケーション、WEBブラウザ、メーラ、カメラ操作アプリケーション、音楽再生アプリケーション）を実行することによって、無線端末１の各種機能を実現する。
【００７５】
いくつかの実装において、図９に破線（９０５）で示されているように、ベースバンドプロセッサ９０３及びアプリケーションプロセッサ９０４は、１つのチップ上に集積されてもよい。言い換えると、ベースバンドプロセッサ９０３及びアプリケーションプロセッサ９０４は、１つのSystem on Chip（SoC）デバイス９０５として実装されてもよい。SoCデバイスは、システムLarge Scale Integration（LSI）またはチップセットと呼ばれることもある。
【００７６】
メモリ９０６は、揮発性メモリ若しくは不揮発性メモリ又はこれらの組合せである。メモリ９０６は、物理的に独立した複数のメモリデバイスを含んでもよい。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。例えば、メモリ９０６は、ベースバンドプロセッサ９０３、アプリケーションプロセッサ９０４、及びSoC９０５からアクセス可能な外部メモリデバイスを含んでもよい。メモリ９０６は、ベースバンドプロセッサ９０３内、アプリケーションプロセッサ９０４内、又はSoC９０５内に集積された内蔵メモリデバイスを含んでもよい。さらに、メモリ９０６は、Universal Integrated Circuit Card（UICC）内のメモリを含んでもよい。
【００７７】
メモリ９０６は、上述の複数の実施形態で説明された無線端末１による処理を行うための命令群およびデータを含む１又はそれ以上のソフトウェアモジュール（コンピュータプログラム）を格納してもよい。いくつかの実装において、ベースバンドプロセッサ９０３又はアプリケーションプロセッサ９０４は、当該ソフトウェアモジュールをメモリ９０６から読み出して実行することで、上述の実施形態で図面を参照して説明された無線端末１の処理を行うよう構成されてもよい。
【００７８】
図１０は、上述の実施形態に係る基地局２の構成例を示すブロック図である。図１０を参照すると、基地局２は、RFトランシーバ１００１、ネットワークインターフェース１００３、プロセッサ１００４、及びメモリ１００５を含む。RFトランシーバ１００１は、無線端末１と通信するためにアナログRF信号処理を行う。RFトランシーバ１００１は、複数のトランシーバを含んでもよい。RFトランシーバ１００１は、アンテナ１００２及びプロセッサ１００４と結合される。RFトランシーバ１００１は、変調シンボルデータ（又はOFDMシンボルデータ）をプロセッサ１００４から受信し、送信RF信号を生成し、送信RF信号をアンテナ１００２に供給する。また、RFトランシーバ１００１は、アンテナ１００２によって受信された受信ＲＦ信号に基づいてベースバンド受信信号を生成し、これをプロセッサ１００４に供給する。
【００７９】
ネットワークインターフェース１００３は、ネットワークノード（e.g., Mobility Management Entity (MME)およびServing Gateway (S-GW)）と通信するために使用される。ネットワークインターフェース１００３は、例えば、IEEE 802.3 seriesに準拠したネットワークインターフェースカード（NIC）を含んでもよい。
【００８０】
プロセッサ１００４は、無線通信のためのデジタルベースバンド信号処理（データプレーン処理）とコントロールプレーン処理を行う。例えば、LTEおよびLTE-Advancedの場合、プロセッサ１００４によるデジタルベースバンド信号処理は、PDCPレイヤ、RLCレイヤ、MACレイヤ、およびPHYレイヤの信号処理を含んでもよい。また、プロセッサ１００４によるコントロールプレーン処理は、S1プロトコル、RRCプロトコル、及びMAC CEの処理を含んでもよい。
【００８１】
プロセッサ１００４は、複数のプロセッサを含んでもよい。例えば、プロセッサ１００４は、デジタルベースバンド信号処理を行うモデム・プロセッサ（e.g., DSP）とコントロールプレーン処理を行うプロトコルスタック・プロセッサ（e.g., CPU又はMPU）を含んでもよい。
【００８２】
メモリ１００５は、揮発性メモリ若しくは不揮発性メモリ又はこれらの組合せである。揮発性メモリは、例えば、SRAM若しくはDRAM又はこれらの組み合わせである。不揮発性メモリは、例えば、MROM、PROM、フラッシュメモリ、若しくはハードディスクドライブ、又はこれらの組合せである。メモリ１００５は、プロセッサ１００４から離れて配置されたストレージを含んでもよい。この場合、プロセッサ１００４は、ネットワークインターフェース１００３又は図示されていないI/Oインタフェースを介してメモリ１００５にアクセスしてもよい。
【００８３】
メモリ１００５は、上述の複数の実施形態で説明された基地局２による処理を行うための命令群およびデータを含む１又はそれ以上のソフトウェアモジュール（コンピュータプログラム）を格納してもよい。いくつかの実装において、プロセッサ１００４は、当該ソフトウェアモジュールをメモリ１００５から読み出して実行することで、上述の実施形態で図面を参照して説明された基地局２の処理を行うよう構成されてもよい。
【００８４】
図９及び図１０を用いて説明したように、上述の実施形態に係る無線端末１及び基地局２が有するプロセッサの各々は、図面を用いて説明されたアルゴリズムをコンピュータに行わせるための命令群を含む１又はそれ以上のプログラムを実行する。これらのプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、これらのプログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８５】
＜その他の実施形態＞
上述の実施形態は、各々独立に実施されてもよいし、適宜組み合わせて実施されてもよい。
【００８６】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【００８７】
上記の実施形態の一部又は全部は、以下の付記のようにも記載されうるが、以下には限られない。
【００８８】
（付記１）
少なくとも１つの無線トランシーバと、
少なくとも１つのプロセッサと、
を備え、
前記少なくとも１つのプロセッサは、
セルラー通信ネットワークから送信されるブロードキャスト／マルチキャスト信号を、前記少なくとも１つの無線トランシーバを使用する前記セルラー通信ネットワークからのダウンリンク受信を介して受信し、
少なくとも１つの近隣無線端末による前記ブロードキャスト／マルチキャスト信号の受信に基づいて前記少なくとも１つの近隣無線端末のそれぞれによって送信される少なくとも１つの応答メッセージを、前記少なくとも１つの無線トランシーバを使用するdevice-to-device（D2D）通信を介して受信し、
前記少なくとも１つの無線トランシーバを介した前記ブロードキャスト／マルチキャスト信号の受信結果と前記少なくとも１つの応答メッセージの受信結果とに基づいて、代表応答メッセージを生成し、且つ
前記代表応答メッセージを、前記少なくとも１つの無線トランシーバを使用する前記セルラー通信ネットワークへのアップリンク送信を介して、前記セルラー通信ネットワーク又は他のノードに送信する、
よう構成されている、
無線端末装置。
【００８９】
（付記２）
前記少なくとも１つのプロセッサは、
各近隣無線端末によって送信されるD2D信号の受信信号品質を計測するよう構成され、且つ
前記受信信号品質が所定の閾値を下回る近隣無線端末から受け取った応答メッセージを、前記代表応答メッセージを生成するための計算から除外するよう構成されている、
付記１に記載の無線端末装置。
【００９０】
（付記３）
前記少なくとも１つの応答メッセージの各々は、各近隣無線端末による前記ブロードキャスト／マルチキャスト信号又は他の所定のダウンリンク信号の受信信号品質を示し、
前記代表応答メッセージは、前記少なくとも１つの近隣無線端末により測定された受信信号品質から得られる少なくとも１つの統計値を示す、
付記１又は２に記載の無線端末装置。
【００９１】
（付記４）
前記少なくとも１つの統計値は、最小値、最大値、平均値、及び分散値のうち少なくとも１つを含む、
付記３に記載の無線端末装置。
【００９２】
（付記５）
前記少なくとも１つの統計値は、少なくとも最小値を含む、
付記４に記載の無線端末装置。
【００９３】
（付記６）
前記少なくとも１つの応答メッセージの各々は、各近隣無線端末による前記ブロードキャスト／マルチキャスト信号又は他の所定のダウンリンク信号の受信信号品質を示し、
前記代表応答メッセージは、前記少なくとも１つの近隣無線端末の各々の受信信号品質を示す、
付記１又は２に記載の無線端末装置。
【００９４】
（付記７）
前記ブロードキャスト／マルチキャスト信号は、Multimedia Broadcast/Multicast Service（MBMS）データを運ぶデータ無線ベアラを送信するためのダウンリンク無線チャネルである、
付記１〜６のいずれか１項に記載の無線端末装置。
【００９５】
（付記８）
前記少なくとも１つのプロセッサは、前記少なくとも１つの近隣無線端末を代理して前記代表応答メッセージを送信する代表端末を選出するための手順を実行するよう構成され、
前記手順は、前記無線端末装置による前記ブロードキャスト／マルチキャスト信号又は他の所定のダウンリンク信号の受信信号品質が前記少なくとも１つの近隣無線端末による前記ブロードキャスト／マルチキャスト信号又は前記所定のダウンリンク信号の受信信号品質よりも良好であるか否かを判定することを含む、
付記１〜７のいずれか１項に記載の無線端末装置。
【００９６】
（付記９）
前記少なくとも１つのプロセッサは、前記少なくとも１つの近隣無線端末を代理して前記代表応答メッセージを送信する代表端末を決定するための手順を実行するよう構成され、
前記手順は、各無線端末の前記ブロードキャスト／マルチキャスト信号又は他の所定のダウンリンク信号の受信信号品質と各無線端末のバッテリー残量に基づいて前記代表端末を決定することを含む、
付記１〜７のいずれか１項に記載の無線端末装置。
【００９７】
（付記１０）
前記少なくとも１つのプロセッサは、前記代表応答メッセージの緊急送信を要求する第１のメッセージを前記少なくとも１つの近隣無線端末のうち１又はそれ以上から受信したことに応答して、前記代表応答メッセージの所定の送信周期に従わずに前記代表応答メッセージを送信するよう構成されている、
付記１〜９のいずれか１項に記載の無線端末装置。
【００９８】
（付記１１）
前記少なくとも１つのプロセッサは、前記第１のメッセージの受信回数をカウントし、前記第１のメッセージの受信回数が所定値を超えた場合に前記代表応答メッセージを非周期的に送信するよう構成されている、
付記１０に記載の無線端末装置。
【００９９】
（付記１２）
前記第１のメッセージは、前記少なくとも１つの近隣無線端末を代理して前記代表応答メッセージを送信する代表端末の再選出手順の開始をトリガーする、
付記１０に記載の無線端末装置。
【０１００】
（付記１３）
前記少なくとも１つのプロセッサは、前記第１のメッセージの受信回数をカウントし、前記第１のメッセージの受信回数が所定値を超えた場合に前記代表端末の再選出手順を開始するよう構成されている、
付記１２に記載の無線端末装置。
【０１０１】
（付記１４）
少なくとも１つの無線トランシーバと、
少なくとも１つのプロセッサと、
を備え、
前記少なくとも１つのプロセッサは、
セルラー通信ネットワークから送信されるブロードキャスト／マルチキャスト信号を、前記少なくとも１つの無線トランシーバを使用する前記セルラー通信ネットワークからのダウンリンク受信を介して受信し、
前記ブロードキャスト／マルチキャスト信号の受信に基づいて応答メッセージを生成し、且つ
前記応答メッセージを包含するdevice-to-device（D2D）信号を、前記少なくとも１つの無線トランシーバを使用するD2D通信を介して少なくとも１つの近隣無線端末に送信する、
よう構成されている、
無線端末装置。
【０１０２】
（付記１５）
前記応答メッセージは、前記少なくとも１つの近隣無線端末に含まれる代表端末によって代表応答メッセージを生成するために使用され、
前記代表応答メッセージは、前記代表端末による前記セルラー通信ネットワークへのアップリンク送信を介して、前記セルラー通信ネットワーク又は他のノードに送信される、
付記１４に記載の無線端末装置。
【０１０３】
（付記１６）
前記少なくとも１つのプロセッサは、前記ブロードキャスト／マルチキャスト信号又は他の所定のダウンリンク信号の受信信号品質の低下を検出したことに応答して、前記代表応答メッセージの緊急送信を要求する第１のメッセージを、前記D2D通信を介して送信するよう構成されている、
付記１５に記載の無線端末装置。
【０１０４】
（付記１７）
前記第１のメッセージは、前記代表端末の再選出手順の開始をトリガーする、
付記１６に記載の無線端末装置。
【０１０５】
（付記１８）
前記応答メッセージは、前記ブロードキャスト／マルチキャスト信号又は他の所定のダウンリンク信号の受信信号品質を示す、
付記１４〜１７のいずれか１項に記載の無線端末装置。
【０１０６】
（付記１９）
前記応答メッセージは、前記無線端末装置のバッテリー残量をさらに示す、
付記１８に記載の無線端末装置。
【０１０７】
（付記２０）
前記D2D信号は、近隣無線端末を発見するためのディスカバリ手順で送信される、
付記１４〜１９のいずれか１項に記載の無線端末装置。
【０１０８】
（付記２１）
前記少なくとも１つのプロセッサは、前記無線端末装置が属する端末グループに対して許可された送信タイミングにおいて前記D2D信号を送信するよう構成され、
前記送信タイミングは、他の端末グループによってD2D信号が送信されるタイミングと異なるよう調整されている、
付記１４〜２０のいずれか１項に記載の無線端末装置。
【０１０９】
（付記２２）
前記少なくとも１つのプロセッサは、前記送信タイミングを定める設定情報を前記セルラー通信ネットワークから受信するよう構成されている、
付記２１に記載の無線端末装置。
【０１１０】
（付記２３）
前記ブロードキャスト／マルチキャスト信号は、Multimedia Broadcast/Multicast Service（MBMS）データを運ぶデータ無線ベアラを送信するためのダウンリンク無線チャネルである、
付記１４〜２２のいずれか１項に記載の無線端末装置。
【０１１１】
（付記２４）
無線端末装置によって行われる方法であって、
セルラー通信ネットワークから送信されるブロードキャスト／マルチキャスト信号を、前記無線端末装置の少なくとも１つの無線トランシーバを使用する前記セルラー通信ネットワークからのダウンリンク受信を介して受信すること、
少なくとも１つの近隣無線端末による前記ブロードキャスト／マルチキャスト信号の受信に基づいて前記少なくとも１つの近隣無線端末のそれぞれによって送信される少なくとも１つの応答メッセージを、前記少なくとも１つの無線トランシーバを使用するdevice-to-device（D2D）通信を介して受信すること、
前記少なくとも１つの無線トランシーバを介した前記ブロードキャスト／マルチキャスト信号の受信結果と前記少なくとも１つの応答メッセージの受信結果とに基づいて、代表応答メッセージを生成すること、及び
前記代表応答メッセージを、前記少なくとも１つの無線トランシーバを使用する前記セルラー通信ネットワークへのアップリンク送信を介して、前記セルラー通信ネットワーク又は他のノードに送信すること、
を備える方法。
【０１１２】
（付記２５）
無線端末装置によって行われる方法であって、
セルラー通信ネットワークから送信されるブロードキャスト／マルチキャスト信号を、前記無線端末装置の少なくとも１つの無線トランシーバを使用する前記セルラー通信ネットワークからのダウンリンク受信を介して受信すること、
前記ブロードキャスト／マルチキャスト信号の受信に基づいて応答メッセージを生成すること、及び
前記応答メッセージを包含するdevice-to-device（D2D）信号を、前記少なくとも１つの無線トランシーバを使用するD2D通信を介して少なくとも１つの近隣無線端末に送信すること、
を備える方法。
【０１１３】
（付記２６）
無線端末装置によって行われる方法をコンピュータに行わせるためのプログラムであって、
前記方法は、
セルラー通信ネットワークから送信されるブロードキャスト／マルチキャスト信号を、前記無線端末装置の少なくとも１つの無線トランシーバを使用する前記セルラー通信ネットワークからのダウンリンク受信を介して受信すること、
少なくとも１つの近隣無線端末による前記ブロードキャスト／マルチキャスト信号の受信に基づいて前記少なくとも１つの近隣無線端末のそれぞれによって送信される少なくとも１つの応答メッセージを、前記少なくとも１つの無線トランシーバを使用するdevice-to-device（D2D）通信を介して受信すること、
前記少なくとも１つの無線トランシーバを介した前記ブロードキャスト／マルチキャスト信号の受信結果と前記少なくとも１つの応答メッセージの受信結果とに基づいて、代表応答メッセージを生成すること、及び
前記代表応答メッセージを、前記少なくとも１つの無線トランシーバを使用する前記セルラー通信ネットワークへのアップリンク送信を介して、前記セルラー通信ネットワーク又は他のノードに送信すること、
を備える、
プログラム。
【０１１４】
（付記２７）
無線端末装置によって行われる方法をコンピュータに行わせるためのプログラムであって、
前記方法は、
セルラー通信ネットワークから送信されるブロードキャスト／マルチキャスト信号を、前記無線端末装置の少なくとも１つの無線トランシーバを使用する前記セルラー通信ネットワークからのダウンリンク受信を介して受信すること、
前記ブロードキャスト／マルチキャスト信号の受信に基づいて応答メッセージを生成すること、及び
前記応答メッセージを包含するdevice-to-device（D2D）信号を、前記少なくとも１つの無線トランシーバを使用するD2D通信を介して少なくとも１つの近隣無線端末に送信すること、
を備える、
プログラム。
【０１１５】
（付記２８）
セルラー通信ネットワークにおいて使用される基地局であって、
少なくとも１つの無線トランシーバと、
少なくとも１つのプロセッサと、
を備え、
前記少なくとも１つのプロセッサは、
ブロードキャスト／マルチキャスト信号を、前記少なくとも１つの無線トランシーバを使用するダウンリンク送信を介して複数の無線端末に送信し、
代表応答メッセージを、前記少なくとも１つの無線トランシーバを使用するアップリンク受信を介して、前記複数の無線端末のうちの代表端末から受信する、
よう構成され、
前記代表メッセージは、前記代表端末によって、少なくとも１つの近隣無線端末による前記ブロードキャスト／マルチキャスト信号の受信に基づいて前記少なくとも１つの近隣無線端末のそれぞれによって送信される少なくとも１つの応答メッセージをdevice-to-device（D2D）通信を介して受信することにより生成され、且つ前記代表端末による前記ブロードキャスト／マルチキャスト信号の受信結果と前記少なくとも１つの応答メッセージの受信結果とに基づいて生成される、
基地局。
【０１１６】
（付記２９）
セルラー通信ネットワークにおいて使用される基地局における方法であって、
ブロードキャスト／マルチキャスト信号を、前記少なくとも１つの無線トランシーバを使用するダウンリンク送信を介して複数の無線端末に送信すること、及び
代表応答メッセージを、前記少なくとも１つの無線トランシーバを使用するアップリンク受信を介して、前記複数の無線端末のうちの代表端末から受信すること、
を備え、
前記代表メッセージは、前記代表端末によって、少なくとも１つの近隣無線端末による前記ブロードキャスト／マルチキャスト信号の受信に基づいて前記少なくとも１つの近隣無線端末のそれぞれによって送信される少なくとも１つの応答メッセージをdevice-to-device（D2D）通信を介して受信することにより生成され、且つ前記代表端末による前記ブロードキャスト／マルチキャスト信号の受信結果と前記少なくとも１つの応答メッセージの受信結果とに基づいて生成される、
方法。
【０１１７】
（付記３０）
セルラー通信ネットワークにおいて使用される基地局における方法をコンピュータに行わせるためのプログラムであって、
前記方法は、
ブロードキャスト／マルチキャスト信号を、前記少なくとも１つの無線トランシーバを使用するダウンリンク送信を介して複数の無線端末に送信すること、及び
代表応答メッセージを、前記少なくとも１つの無線トランシーバを使用するアップリンク受信を介して、前記複数の無線端末のうちの代表端末から受信すること、
を備え、
前記代表メッセージは、前記代表端末によって、少なくとも１つの近隣無線端末による前記ブロードキャスト／マルチキャスト信号の受信に基づいて前記少なくとも１つの近隣無線端末のそれぞれによって送信される少なくとも１つの応答メッセージをdevice-to-device（D2D）通信を介して受信することにより生成され、且つ前記代表端末による前記ブロードキャスト／マルチキャスト信号の受信結果と前記少なくとも１つの応答メッセージの受信結果とに基づいて生成される、
プログラム。
【０１１８】
この出願は、２０１７年４月２６日に出願された日本出願特願２０１７−０８６９８９を基礎とする優先権を主張し、その開示の全てをここに取り込む。
【符号の説明】
【０１１９】
１  無線端末
２  基地局
３  D2Dコントローラ
７  サーバ
１０  セルラー通信ネットワーク
２１  セルラーカバレッジ
【図１】
2018198446.tif 000004
【図２】
2018198446.tif 000005
【図３】
2018198446.tif 000006
【図４】
2018198446.tif 000007
【図５】
2018198446.tif 000008
【図６】
2018198446.tif 000009
【図７】
2018198446.tif 000010
【図８】
2018198446.tif 000011
【図９】
2018198446.tif 000012
【図１０】
2018198446.tif 000013
【手続補正書】
【提出日】平成30年8月3日(2018.8.3)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
（削除）
【請求項６】
（削除）
【請求項７】
（削除）
【請求項８】
（削除）
【請求項９】
（削除）
【請求項１０】
少なくとも１つの無線トランシーバと、
少なくとも１つのプロセッサと、
を備え、
前記少なくとも１つのプロセッサは、
セルラー通信ネットワークから送信されるブロードキャスト／マルチキャスト信号を、前記少なくとも１つの無線トランシーバを使用する前記セルラー通信ネットワークからのダウンリンク受信を介して受信し、
少なくとも１つの近隣無線端末による前記ブロードキャスト／マルチキャスト信号の受信に基づいて前記少なくとも１つの近隣無線端末のそれぞれによって送信される少なくとも１つの応答メッセージを、前記少なくとも１つの無線トランシーバを使用するｄｅｖｉｃｅ−ｔｏ−ｄｅｖｉｃｅ（Ｄ２Ｄ）通信を介して受信し、
前記少なくとも１つの無線トランシーバを介した前記ブロードキャスト／マルチキャスト信号の受信結果と前記少なくとも１つの応答メッセージの受信結果とに基づいて、代表応答メッセージを生成し、且つ
前記代表応答メッセージを、前記少なくとも１つの無線トランシーバを使用する前記セルラー通信ネットワークへのアップリンク送信を介して、前記セルラー通信ネットワーク又は他のノードに送信する、
よう構成され、
前記少なくとも１つのプロセッサは、さらに、前記代表応答メッセージの緊急送信を要求する第１のメッセージを前記少なくとも１つの近隣無線端末のうち１又はそれ以上から受信したことに応答して、前記代表応答メッセージの所定の送信周期に従わずに前記代表応答メッセージを送信するよう構成されている、
無線端末装置。
【請求項１１】
前記少なくとも１つのプロセッサは、前記第１のメッセージの受信回数をカウントし、前記第１のメッセージの受信回数が所定値を超えた場合に前記代表応答メッセージを非周期的に送信するよう構成されている、
請求項１０に記載の無線端末装置。
【請求項１２】
前記第１のメッセージは、前記少なくとも１つの近隣無線端末を代理して前記代表応答メッセージを送信する代表端末の再選出手順の開始をトリガーする、
請求項１０に記載の無線端末装置。
【請求項１３】
前記少なくとも１つのプロセッサは、前記第１のメッセージの受信回数をカウントし、前記第１のメッセージの受信回数が所定値を超えた場合に前記代表端末の再選出手順を開始するよう構成されている、
請求項１２に記載の無線端末装置。
【請求項１４】
（削除）
【請求項１５】
（削除）
【請求項１６】
少なくとも１つの無線トランシーバと、
少なくとも１つのプロセッサと、
を備え、
前記少なくとも１つのプロセッサは、
セルラー通信ネットワークから送信されるブロードキャスト／マルチキャスト信号を、前記少なくとも１つの無線トランシーバを使用する前記セルラー通信ネットワークからのダウンリンク受信を介して受信し、
前記ブロードキャスト／マルチキャスト信号の受信に基づいて応答メッセージを生成し、且つ
前記応答メッセージを包含するｄｅｖｉｃｅ−ｔｏ−ｄｅｖｉｃｅ（Ｄ２Ｄ）信号を、前記少なくとも１つの無線トランシーバを使用するＤ２Ｄ通信を介して少なくとも１つの近隣無線端末に送信する、
よう構成され、
前記応答メッセージは、前記少なくとも１つの近隣無線端末に含まれる代表端末によって代表応答メッセージを生成するために使用され、
前記代表応答メッセージは、前記代表端末による前記セルラー通信ネットワークへのアップリンク送信を介して、前記セルラー通信ネットワーク又は他のノードに送信され、
前記少なくとも１つのプロセッサは、さらに、前記ブロードキャスト／マルチキャスト信号又は他の所定のダウンリンク信号の受信信号品質の低下を検出したことに応答して、前記代表応答メッセージの緊急送信を要求する第１のメッセージを、前記Ｄ２Ｄ通信を介して送信するよう構成されている、
無線端末装置。
【請求項１７】
前記第１のメッセージは、前記代表端末の再選出手順の開始をトリガーする、
請求項１６に記載の無線端末装置。
【請求項１８】
（削除）
【請求項１９】
（削除）
【請求項２０】
（削除）
【請求項２１】
（削除）
【請求項２２】
（削除）
【請求項２３】
（削除）
【請求項２４】
無線端末装置によって行われる方法であって、
セルラー通信ネットワークから送信されるブロードキャスト／マルチキャスト信号を、前記無線端末装置の少なくとも１つの無線トランシーバを使用する前記セルラー通信ネットワークからのダウンリンク受信を介して受信すること、
少なくとも１つの近隣無線端末による前記ブロードキャスト／マルチキャスト信号の受信に基づいて前記少なくとも１つの近隣無線端末のそれぞれによって送信される少なくとも１つの応答メッセージを、前記少なくとも１つの無線トランシーバを使用するｄｅｖｉｃｅ−ｔｏ−ｄｅｖｉｃｅ（Ｄ２Ｄ）通信を介して受信すること、
前記少なくとも１つの無線トランシーバを介した前記ブロードキャスト／マルチキャスト信号の受信結果と前記少なくとも１つの応答メッセージの受信結果とに基づいて、代表応答メッセージを生成すること、及び
前記代表応答メッセージを、前記少なくとも１つの無線トランシーバを使用する前記セルラー通信ネットワークへのアップリンク送信を介して、前記セルラー通信ネットワーク又は他のノードに送信すること、
を備え、
前記方法は、さらに、前記代表応答メッセージの緊急送信を要求する第１のメッセージを前記少なくとも１つの近隣無線端末のうち１又はそれ以上から受信したことに応答して、前記代表応答メッセージの所定の送信周期に従わずに前記代表応答メッセージを送信することを備える、
方法。
【請求項２５】
無線端末装置によって行われる方法であって、
セルラー通信ネットワークから送信されるブロードキャスト／マルチキャスト信号を、前記無線端末装置の少なくとも１つの無線トランシーバを使用する前記セルラー通信ネットワークからのダウンリンク受信を介して受信すること、
前記ブロードキャスト／マルチキャスト信号の受信に基づいて応答メッセージを生成すること、及び
前記応答メッセージを包含するｄｅｖｉｃｅ−ｔｏ−ｄｅｖｉｃｅ（Ｄ２Ｄ）信号を、前記少なくとも１つの無線トランシーバを使用するＤ２Ｄ通信を介して少なくとも１つの近隣無線端末に送信すること、
を備え、
前記応答メッセージは、前記少なくとも１つの近隣無線端末に含まれる代表端末によって代表応答メッセージを生成するために使用され、
前記代表応答メッセージは、前記代表端末による前記セルラー通信ネットワークへのアップリンク送信を介して、前記セルラー通信ネットワーク又は他のノードに送信され、
前記方法は、さらに、前記ブロードキャスト／マルチキャスト信号又は他の所定のダウンリンク信号の受信信号品質の低下を検出したことに応答して、前記代表応答メッセージの緊急送信を要求する第１のメッセージを、前記Ｄ２Ｄ通信を介して送信することを備える、
方法。
【請求項２６】
無線端末装置によって行われる方法をコンピュータに行わせるためのプログラムを格納した非一時的なコンピュータ可読媒体であって、
前記方法は、
セルラー通信ネットワークから送信されるブロードキャスト／マルチキャスト信号を、前記無線端末装置の少なくとも１つの無線トランシーバを使用する前記セルラー通信ネットワークからのダウンリンク受信を介して受信すること、
少なくとも１つの近隣無線端末による前記ブロードキャスト／マルチキャスト信号の受信に基づいて前記少なくとも１つの近隣無線端末のそれぞれによって送信される少なくとも１つの応答メッセージを、前記少なくとも１つの無線トランシーバを使用するｄｅｖｉｃｅ−ｔｏ−ｄｅｖｉｃｅ（Ｄ２Ｄ）通信を介して受信すること、
前記少なくとも１つの無線トランシーバを介した前記ブロードキャスト／マルチキャスト信号の受信結果と前記少なくとも１つの応答メッセージの受信結果とに基づいて、代表応答メッセージを生成すること、及び
前記代表応答メッセージを、前記少なくとも１つの無線トランシーバを使用する前記セルラー通信ネットワークへのアップリンク送信を介して、前記セルラー通信ネットワーク又は他のノードに送信すること、
を備え、
前記方法は、さらに、前記代表応答メッセージの緊急送信を要求する第１のメッセージを前記少なくとも１つの近隣無線端末のうち１又はそれ以上から受信したことに応答して、前記代表応答メッセージの所定の送信周期に従わずに前記代表応答メッセージを送信することを備える、
非一時的なコンピュータ可読媒体。
【請求項２７】
無線端末装置によって行われる方法をコンピュータに行わせるためのプログラムを格納した非一時的なコンピュータ可読媒体であって、
前記方法は、
セルラー通信ネットワークから送信されるブロードキャスト／マルチキャスト信号を、前記無線端末装置の少なくとも１つの無線トランシーバを使用する前記セルラー通信ネットワークからのダウンリンク受信を介して受信すること、
前記ブロードキャスト／マルチキャスト信号の受信に基づいて応答メッセージを生成すること、及び
前記応答メッセージを包含するｄｅｖｉｃｅ−ｔｏ−ｄｅｖｉｃｅ（Ｄ２Ｄ）信号を、前記少なくとも１つの無線トランシーバを使用するＤ２Ｄ通信を介して少なくとも１つの近隣無線端末に送信すること、
を備え、
前記応答メッセージは、前記少なくとも１つの近隣無線端末に含まれる代表端末によって代表応答メッセージを生成するために使用され、
前記代表応答メッセージは、前記代表端末による前記セルラー通信ネットワークへのアップリンク送信を介して、前記セルラー通信ネットワーク又は他のノードに送信され、
前記方法は、さらに、前記ブロードキャスト／マルチキャスト信号又は他の所定のダウンリンク信号の受信信号品質の低下を検出したことに応答して、前記代表応答メッセージの緊急送信を要求する第１のメッセージを、前記Ｄ２Ｄ通信を介して送信することを備える、
非一時的なコンピュータ可読媒体。
【請求項２８】
（削除）
【請求項２９】
（削除）
【請求項３０】
（削除）
【国際調査報告】
2018198446.tif 000014
2018198446.tif 000015
2018198446.tif 000016
2018198446.tif 000017